(57)【要約】【課題】打球供給皿から球抜きする遊技球の球箱からのこぼれを防止したパチンコ機を得る。【解決手段】パチンコ機に装備された一体皿３０は、球皿部に貯留した遊技球を打球発射装置側へ誘導する機能及び球皿部が賞球で満杯になった場合等に適宜賞球を球箱へ排出することができる機能を有しており、球皿本体２９の内部には、球皿部に形成された球抜き口と、球皿本体２９の下面２９Ａに形成された球排出口１６８とを連通させる球抜き通路２００、２０２、２０４が設けられている。この球抜き通路の最下流部を構成する球抜き通路２０４の後壁２０６に、上流側から球排出口１６８に掛けて前方へ向けて下り傾斜した傾斜面２０８を設ける。球抜きでは、球抜き通路２０４を流下した遊技球ＢＬは球排出口１６８から前方側に向けて排出され、球箱３２０の中央部付近から放射状に広がるようにして球箱３２０内に貯留される。【選択図】        図６
2004329227.tif 000002
【特許請求の範囲】
【請求項１】
内枠の前面に開閉可能に取り付けられるパネル部材と、
前記パネル部材の前面に突設され、球皿部に貯留された遊技球を前記内枠に設けられた打球発射装置側へ誘導する球皿本体と、
前記球皿部に形成された球抜き口を開閉する開閉手段と、
前記球皿本体内に設けられ、球皿本体の下面に形成された球排出口と前記球抜き口とを連通させる球抜き通路と、
を有し、前記球抜き口が開口されることにより前記球皿部に貯留された遊技球を球抜き口に導入し前記球抜き通路を介して前記球排出口から排出する打球供給皿を備えたパチンコ機において、
前記打球供給皿に、前記遊技球を前記球排出口から前方側に向けて排出させる排出方向変更手段が設けられていることを特徴とするパチンコ機。
【請求項２】
前記排出方向変更手段は、前記球抜き通路の最下流部の後壁に設けられ上流側から前記球排出口に掛けて前方へ向けて下り傾斜された傾斜面により構成されていることを特徴とする請求項１記載のパチンコ機。
【請求項３】
内枠の前面に開閉可能に取り付けられるパネル部材と、
前記パネル部材の前面に突設され、球皿部に貯留された遊技球を前記内枠に設けられた打球発射装置側へ誘導する球皿本体と、
前記球皿部に形成された球抜き口を開閉する開閉手段と、
前記球皿本体内に設けられ、球皿本体の下面に形成された球排出口と前記球抜き口とを連通させる球抜き通路と、
を有し、前記球抜き口が開口されることにより前記球皿部に貯留された遊技球を球抜き口に導入し前記球抜き通路を介して前記球排出口から排出する打球供給皿を備えたパチンコ機において、
前記球抜き通路の少なくとも前記遊技球が接触して転がる接触部に、遊技球の転がり摩擦抵抗を大きくする抵抗手段が設けられていることを特徴とするパチンコ機。
【請求項４】
前記抵抗手段は、前記遊技球の荷重により弾性変形するクッション材とされていることを特徴とする請求項３記載のパチンコ機。
【発明の詳細な説明】
【０００１】
【発明の属する技術分野】
本発明はパチンコ機に係り、詳細には、遊技盤の下方に配設される打球供給皿に、上皿及び下皿の機能を有する一体皿が用いられたパチンコ機に関する。
【０００２】
【従来の技術】
パチンコ機の打球供給皿において通称「一体皿」と呼ばれるものは、貯留した遊技球を一列に整列し、打球発射装置に遊技球を送り出すための整流器（球送り装置）へ誘導する「上皿」としての機能（打球供給機能）と、球皿部を大容量化して賞球（遊技球）の貯留量を増やすとともに、球皿部が賞球で満杯になった場合等に適宜賞球を球箱へ排出することができる「下皿」としての機能とを併せ持っている（例えば、特許文献１参照）。
【０００３】
この一体皿の球抜きに関し、特許文献１や図８〜図１０に示される従来の一体皿３００では、遊技者が球抜き操作を行うと、球皿部３０２に設けられた球抜き口３０４及び球整列通路３０６に設けられた球抜き口３０８がそれぞれ開口して、貯留されている遊技球は球抜き口３０４、３０８へ落下し、そのまま、一体皿３００の内部に設けられた球抜き通路３１０又は球抜き通路３１２から球抜き通路３１４を流下し、一体皿３００の下面略中央に設けらた球排出口３１６から下方へ排出される。
【０００４】
またここでは、球抜き通路全体の形状が背面視（正面視）略Ｙ字状とされ（図９参照）、球排出口３１６へ通じる最終的な球抜き通路３１４は略垂直方向に延設されている。そのため、球排出口３１６から排出される遊技球ＢＬは、図１０の矢印Ｅで示すように球抜き通路３１４に沿って球排出口３１６のほぼ真下へ落下する。そして、一体皿３００の下方に球箱３２０をセットすると、球排出口３１６の真下には球箱３２０の後部が位置するようになり、この球箱３２０に、一体皿３００から球抜きされた遊技球ＢＬが収容される。
【０００５】
一方、上下２段構成とされる上皿及び下皿での球抜きに関しては、下皿に貯留される遊技球の球抜きを迅速化するため、下皿の底面に設ける球抜き口を長穴形状とし、遊技球を複数個単位の整列状態で排出する技術が提案されている（例えば、特許文献２参照）。ただし、この形状を変更した球抜き口の場合でも、球抜き口へは遊技球が全方位から集中することに変わりないため、やはり、球抜き時に遊技球の相互干渉が起こり、排出速度がさほど向上しない問題がある。
【０００６】
【特許文献１】
特開２００２−２６３３２５公報  （第４頁、第３図、第５図、第６図）
【特許文献２】
特開平７−３１３７０６号公報  （第４−５頁、第５図、第１０−１４図）
【０００７】
【発明が解決しようとする課題】
ところで、特許文献１の一体皿や上記の一体皿３００は、打球供給機能を有することから、遊技盤の下方に位置して従来の上皿と同等の高さ又は少し低い位置に配設されている。これに伴い、球抜き口（球抜き口３０４、３０８）は従来の下皿の球抜き口よりも高い位置に配置され、球箱までの高低差が大きくなっている。そのため、一体皿から球抜きされる遊技球は、屈曲した球抜き通路（球抜き通路３１０、３１２、３１４）を方向転換しながら流下することでの制動力は受けるものの、それでも、落差が大きくされたことによる加速の方が勝り、最終的に球排出口から排出される排出速度（落下速度）は、下皿の球抜きにおける自然落下に比べて速くなっている。
【０００８】
そして、球排出口３１６からほぼ真下へ落下された遊技球ＢＬは、球箱３２０の後部側に偏るようにして順次蓄積されるが、蓄積された遊技球ＢＬが球箱３２０の後部側において球箱３２０の上縁部３２２付近に達すると、続いて落下された遊技球ＢＬは、落下の勢いが増しているため、着地点から放射状に広がる力又は跳ね上がる力（図１０の矢印Ｆ）が強まって球箱３２０からこぼれやすくなる。特にこの場合は、球箱３２０の後側への球こぼれが起こりやすくなる。また、球こぼれには至らないまでも、遊技球ＢＬを球箱３２０一杯に収容する、あるいは、遊技球ＢＬを収容した球箱３２０を積み重ねる際には、球箱３２０の後部側に偏って蓄積された遊技球ＢＬを手前側に崩して平らに均す必要があるため、それらの作業が面倒になっている。
【０００９】
本発明は上記事実を考慮して、打球供給皿から球抜きする遊技球の球箱からのこぼれを防止するとともに、球箱に貯留される遊技球の球均し作業を軽減することができるパチンコ機を提供することを課題とする。
【００１０】
【課題を解決するための手段】
上記目的を達成するために請求項１に記載の発明は、内枠の前面に開閉可能に取り付けられるパネル部材と、前記パネル部材の前面に突設され、球皿部に貯留された遊技球を前記内枠に設けられた打球発射装置側へ誘導する球皿本体と、前記球皿部に形成された球抜き口を開閉する開閉手段と、前記球皿本体内に設けられ、球皿本体の下面に形成された球排出口と前記球抜き口とを連通させる球抜き通路と、を有し、前記球抜き口が開口されることにより前記球皿部に貯留された遊技球を球抜き口に導入し前記球抜き通路を介して前記球排出口から排出する打球供給皿を備えたパチンコ機において、前記打球供給皿に、前記遊技球を前記球排出口から前方側に向けて排出させる排出方向変更手段が設けられていることを特徴としている。
【００１１】
請求項１に記載の発明では、打球供給皿は、パネル部材が内枠の前面に開閉可能に取り付けられることにより内枠の前面に配設され、このパネル部材の前面に突設された球皿本体の球皿部に遊技球を貯留し、遊技球を内枠に設けられた打球発射装置側へ誘導する。また、この打球供給皿は、球皿部に形成された球抜き口が開閉手段により開閉可能とされ、球抜き口が開口されると、球皿部に貯留された遊技球を球抜き口に導入し、球皿本体内に設けられた球抜き通路を介して球皿本体の下面に形成された球排出口から排出する。そしてこの遊技球の排出（球抜き）では、打球供給皿に設けられた排出方向変更手段により、遊技球は球排出口から前方側に向けて排出される。
【００１２】
そのため、打球供給皿の下方にセットした球箱に対し、遊技球が球箱の後部側に偏るようにして蓄積されることはなく、例えば、球箱の中央部付近から放射状に広がるようにして球箱内に貯留される。これにより、打球供給皿から球抜きされる遊技球の球箱からのこぼれが防止されるとともに、球箱に貯留される遊技球の球均し作業を軽減することができる。
【００１３】
請求項２に記載の発明は、請求項１記載のパチンコ機において、前記排出方向変更手段は、前記球抜き通路の最下流部の後壁に設けられ上流側から前記球排出口に掛けて前方へ向けて下り傾斜された傾斜面により構成されていることを特徴としている。
【００１４】
請求項２に記載の発明では、球抜き通路の最下流部の後壁に、上流側から球排出口に掛けて前方へ向けて下り傾斜した傾斜面を設け、この球抜き通路に一体的に設けた傾斜面により排出方向変更手段を構成することにより、別部材の排出方向変更手段を設ける場合等に比べて構成を簡素化することができる。
【００１５】
請求項３に記載の発明は、内枠の前面に開閉可能に取り付けられるパネル部材と、前記パネル部材の前面に突設され、球皿部に貯留された遊技球を前記内枠に設けられた打球発射装置側へ誘導する球皿本体と、前記球皿部に形成された球抜き口を開閉する開閉手段と、前記球皿本体内に設けられ、球皿本体の下面に形成された球排出口と前記球抜き口とを連通させる球抜き通路と、を有し、前記球抜き口が開口されることにより前記球皿部に貯留された遊技球を球抜き口に導入し前記球抜き通路を介して前記球排出口から排出する打球供給皿を備えたパチンコ機において、前記球抜き通路の少なくとも前記遊技球が接触して転がる接触部に、遊技球の転がり摩擦抵抗を大きくする抵抗部材が設けられていることを特徴としている。
【００１６】
請求項３に記載の発明では、打球供給皿からの遊技球の排出（球抜き）を行うと、遊技球は、球抜き通路を通り抜ける際に、球抜き通路の少なくとも遊技球が接触して転がる接触部に設けられた抵抗部材に接触して、転がり摩擦抵抗が大きくされる。これにより、球排出口から排出される遊技球の排出速度は減速され、打球供給皿の下方にセットした球箱の後部側に遊技球が落下する場合でも、落下の勢いが抑制されるため、着地点から跳ね上がる力（反発力）が弱まり球箱からの球こぼれが防止される。
【００１７】
請求項４に記載の発明は、請求項３記載のパチンコ機において、前記抵抗部材は、前記遊技球の荷重により弾性変形するクッション材とされていることを特徴としている。
【００１８】
請求項４に記載の発明では、打球供給皿からの遊技球の排出において、ゴム製やウレタン製等のクッション材で形成された抵抗部材上を遊技球が転がる際に、遊技球の荷重によってクッション材が弾性変形することにより、遊技球の転がり摩擦抵抗が大きくされる。このようなクッション材を用いることにより、球排出口から排出される遊技球の排出速度は確実に減速され、また、抵抗部材を安価に作製することができる。
【００１９】
【発明の実施の形態】
以下、図面を参照して本発明の実施の形態について説明する。
【００２０】
［第１の実施形態］
（パチンコ機の構成）
図１及び図２には、本発明の第１の実施形態に係るパチンコ機が示されている。図１及び図２に示すように、パチンコ機１０は、パチンコ機１０の外郭を構成するとともにパチンコホールの島設備に設置される矩形状の外枠１２を備えている。外枠１２の前面には矩形額縁状の内枠１４が配置されており、内枠１４は、外枠１２に設けられた一対のヒンジ部１６、１８に左側端部が軸支されて開閉可能に取り付けられている。また外枠１２の前面下部には、化粧パネルとなる合成樹脂製の下飾り２０が取り付けられている。
【００２１】
内枠１４の前面上部には、ガラス板２２を装着したガラスフレーム２４を窓部に備えるガラス枠２６が配置されており、ガラス枠２６は左側端部が内枠１４に軸支されて開閉可能に取り付けられている。また、ガラスフレーム２４に装着されたガラス板２２は、図２の紙面奥行き方向に所定の間隔で互いに平行に配置された一対のガラス板からなる二重構造となっている。この内枠１４の上部におけるガラス枠２６裏面側には、交換可能とされた遊技盤１００がセットされており、遊技盤１００は、ガラス枠２６を内枠１４に閉塞した状態でガラス枠２６（ガラス板２２）に覆われるようになっている。
【００２２】
図２に示すように、パチンコ機１０の正面となるガラス枠２６の前面には、賞球表示灯や完了表示灯等としての機能を有する複数の表示灯８０と、賞球払出エラー表示灯８２及び払出状態エラー表示灯８４とがガラス板２２（遊技盤１００の遊技領域）を取り囲むように配列されており、さらに左上隅近傍と右側端上部には、遊技の効果音をステレオ出力するスピーカー８６、８８が配設されている。
【００２３】
また、内枠１４の前面下部には、通常の上皿及び下皿の機能を有する一体皿３０が配置されている。一体皿３０は、パネル部材２７の左側端部が内枠１４に軸支されて開閉可能に取り付けられており、パネル部材２７の前面には、上部に遊技球を貯える球皿部２８が形成された球皿本体２９が突設されている。さらに、パネル部材２７の前面には、左側下部に灰皿３２が配置され右側端部には打球の飛距離を調整するための発射ハンドル３４が取り付けられている。
【００２４】
一体皿３０（パネル部材２７）の裏面には、発射ハンドル３４の基端部がネジ止めされてその基端固定部分を補強する板金製の発射ハンドル補強板３６と、球皿部２８に貯められた遊技球が送り込まれる球送り装置（整流器）３８とが取り付けられている。また、内枠１４の下部における一体皿３０裏面側には、遊技盤１００の左下に発射装置４０が配置され球皿本体２９の後方に位置して貯球タンク４２が取り付けられており、これらの発射装置４０及び貯球タンク４２は一体皿３０に覆われるようになっている。
【００２５】
内枠１４の裏面側には、貯球タンク４２の左側略上方に位置して賞球払出装置（図示省略）が設けられており、賞球払出装置から払い出された賞球は貯球タンク４２の上面左端部に形成されたタンク入口（図示省略）を介してタンク内へ落下されるようになっている。また、貯球タンク４２は、タンク底面が右側へ下り傾斜しており、その傾斜方向下流側となる前面右側端部にはタンク出口４４が形成されている。このタンク出口４４は、一体皿３０のパネル部材２７に形成された賞球排出口４６と対応して配置されており、賞球排出口４６はパネル部材２７の前面に設けられた球皿本体２９の球皿部２８と連通している。これにより、賞球払出装置からタンク内へ払い出された賞球は、タンク底面上を上流側（左側）から下流側（右側）へ転動し、タンク出口４４を介して賞球排出口４６から球皿部２８に排出される。
【００２６】
また、タンク出口４４と賞球排出口４６との各下方位置には、上下方向に移動可能とされたシャッター板４８、５０がそれぞれ設けられている。このシャッター板４８、５０は、図２に示すように一体皿３０が閉塞された状態では各々下方へ移動してタンク出口４４と賞球排出口４６とを連通させ、図１に示すように一体皿３０が開放されると各々上方へ移動して、シャッター板４８はタンク出口４４の下縁側を、シャッター板５０は賞球排出口４６の下縁側を塞ぐようになっている。これにより、一体皿３０を開放した際に球皿部２８及び貯球タンク４２から遊技球（賞球）がこぼれ出さないようにされている。
【００２７】
一方、内枠１４裏面の右側端部には施錠装置５２が取り付けられている。施錠装置５２にはシリンダー錠（錠前）５４が設けられており、このシリンダー錠５４の鍵孔５６は内枠１４の前面から露出されている。また、施錠装置５２の上下端部近傍で、外枠１２の右内側面に設けられた一対の鍵受け部５８Ａ、５８Ｂと対応する位置には、後方へ突出された一対の内枠固定用フック６０Ａ、６０Ｂが設けられており、ガラス枠２６裏面の右側端部に取り付けられているガラス枠補強板６２に設けられた一対の鍵受け部６４Ａ、６４Ｂと対応する位置には、内枠１４に形成されたスリット６６Ａ、６６Ｂを通して前方へ突出された一対のガラス枠固定用フック６８Ａ、６８Ｂが設けられている。さらに、施錠装置５２の下方部で、一体皿３０裏面の発射ハンドル補強板３６に形成された一対の鍵受け開口部７０Ａ、７０Ｂと対応する位置には、内枠１４に形成されたスリット７２Ａ、７２Ｂを通して前方へ突出された一対の一体皿ユニット固定用フック７４Ａ、７４Ｂが設けられている。これにより、内枠１４を閉じた際は、内枠固定用フック６０Ａ、６０Ｂが鍵受け部５８Ａ、５８Ｂに係合して内枠１４は外枠１２に固定され、ガラス枠２６を閉じた際は、ガラス枠補強板６２の鍵受け部６４Ａ、６４Ｂがガラス枠固定用フック６８Ａ、６８Ｂに係合してガラス枠２６は内枠１４に固定される。一体皿３０を閉じた際は、発射ハンドル補強板３６の鍵受け開口部７０Ａ、７０Ｂが一体皿ユニット固定用フック７４Ａ、７４Ｂに係合して一体皿３０は内枠１４に固定される。
【００２８】
また、内枠固定用フック６０Ａ、６０Ｂ及びガラス枠固定用フック６８Ａ、６８Ｂは、シリンダー錠５４の鍵孔５６に図示しない鍵を差し込んで所定方向に回すことにより、係合状態がそれぞれ解除されて解錠されるようになっている。一体皿ユニット固定用フック７４Ａ、７４Ｂについては、ガラス枠２６を開放すると露出される施錠装置５２の解除レバー７６を押し下げることにより、一体皿ユニット固定用フック７４Ａ、７４Ｂが下方へスライドして鍵受け開口部７０Ａ、７０Ｂとの係合状態が解除されるようになっている。この施錠装置５２により、内枠１４は外枠１２に施錠され、ガラス枠２６は内枠１４に施錠されるとともに、一体皿３０は内枠１４にロックされて、それぞれ閉塞状態に固定される。
【００２９】
（遊技盤の構成）
図１に示すように、遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２と内レール１０４とによって囲まれた円形状の領域は、遊技球が移動可能な遊技領域１０１とされている。
【００３０】
遊技領域１０１（盤面１００Ａ）のほぼ中央には、特別図柄表示装置１０６が配置されている。特別図柄表示装置１０６は液晶ディスプレイを内蔵しており、そのディスプレイ画面１０８には特別図柄の抽選や各種演出等のアニメーションが表示される。
【００３１】
特別図柄表示装置１０６の下方には、始動口（スタート・チャッカー）１１０が配置されている。始動口１１０の下方には、遊技領域１０１の下端部付近に位置して変動入賞装置（特別電動役物）１１２が配設されており、変動入賞装置１１２は、左右幅方向を長手とした矩形状の大入賞口（アタッカー）１１４を備え、大入賞口１１４内には通称「Ｖゾーン」と呼ばれる連続役物作動口（図示省略）が設けられている。大入賞口１１４は、開閉扉１１６が開放又は閉塞することによって開口又は閉口するようになっており、開閉扉１１６の開放時には、開閉扉１１６上に落下した遊技球が開閉扉１１６に案内されて大入賞口１１４へ入賞する。さらに、遊技領域１０１には、入賞口１１８、風車１２０、サイド飾り１２２Ｌ、１２２Ｒが設けられており、最下位置にアウト口１２４が配置されている。
【００３２】
なお、上述した役物や各種遊技部品が取り付けられている遊技領域１０１には、遊技領域１０１内を落下する遊技球を所定の経路に誘導する多数の遊技釘が打ち込まれているが、図１ではそれら遊技釘の図示を省略している。また、本実施形態のパチンコ機１０は、発射装置４０を遊技盤１００の左下に配置して遊技球を上方に発射する機種であり、従来機種に比べてアウト口１２４の位置を下げることにより遊技領域１０１が拡大されている。また、パチンコ機本体は、ガラス枠２６や一体皿３０等を備えるとともに遊技盤１００が搭載された内枠１４によって構成されており、それらの内枠１４、ガラス枠２６、及び一体皿３０等は全て樹脂成形品とされている。
【００３３】
（一体皿の構成）
次に、図３〜図６を用いて本実施の形態に係る一体皿３０の構成について詳細に説明する。
【００３４】
図４に示すように、一体皿３０の球皿部２８略中央には立壁１５０及び段差部１５２、１５４が設けられており、それらによって球皿部２８は、左側領域を占める高位面部１５６と右側領域を占める中位面部１５８、及び略中央領域を占める低位面部１６０とに区分けされている。
【００３５】
高位面部１５６は、図中右方向に下り傾斜しており、台間球貸機の球排出ノズルから出された貸球を左端側の広域受け面部１６２で受け止め、低位面部１６０側に案内するようになっている。中位面部１５８と低位面部１６０は、図中左方向に同一角度（水平面に対して３．５度）で下り傾斜しており、上記の貸球と賞球排出口４６から排出された賞球は、その傾斜方向に転動して、低位面部１６０の下流側に設けられた球整列通路１６４に案内されるようになっている。
【００３６】
球整列通路１６４の底面には、鋼板製の金属レール１６５が敷設されている。この金属レール１６５によって、球整列通路１６４の通路底面の耐磨耗性が向上されるとともに、遊技球が帯電した際は、その静電気が金属レール１６５側に逃がされるようになる。そして球整列通路１６４に案内された遊技球は、球整列通路１６４で一列に整列され、球送り装置３８へと誘導される。
【００３７】
また、中位面部１５８と低位面部１６０の境界となる段差部１５４には、両面部に跨って配置された円形の球抜き口１６６が形成されている。この球抜き口１６６は、球皿本体２９の下面２９Ａ略中央に設けられた球排出口１６８に、後述する球抜き通路を介して連通しており（図３及び図５参照）、通常は、球抜き板１７０によって塞がれている。
【００３８】
そして、球皿本体２９の前面２９Ｂ下部側に埋設されている球抜きボタン１７２（図３参照）を押圧操作すると、球皿本体２９に内蔵された図示しない球抜き機構を介してその力が球抜き板１７０に伝達され、球抜き板１７０は右方向（図４の矢印Ｂ方向）にスライドし球抜き口１６６が開口する。また球抜きボタン１７２の押圧を解除すると、上記の球抜き機構に設けられたバネ部材の弾性力により、球抜き板１７０が元の位置に付勢され、球抜き口１６６は閉口するようになっている。
【００３９】
さらに、球整列通路１６４の最下流部底面にも、球排出口１６８と連通する球抜き口１７６が設けられている。この球抜き口１７６は、通常は、球抜き板１７８によって塞がれており、球抜き板１７８は、球皿本体２９に内蔵され球皿部２８の高位面部１５６下側に配置された球抜き機構１８０に連結されている。また球抜き機構１８０を作動させる球抜きレバー１８２は、球皿本体２９の前面２９Ｂ左側上部に配置されている。
【００４０】
そして、球抜きレバー１８２を左方向にスライド操作すると、その力が球抜き機構１８０を介して球抜き板１７８に伝達され、球抜き板１７８は右方向（図４の矢印Ｃ方向）にスライドし球抜き口１７６が開口する。また球抜きレバー１８２の操作を解除すると、球抜き機構１８０内のバネ部材の弾性力により、球抜き板１７８が左方向に付勢され、球抜き口１７６は閉口する構成となっている。
【００４１】
球皿本体２９の前面２９Ｂ略中央には、左側に、貸球の貸し出し操作部となる球貸ボタン１８４が設けられており、右側に、台間球貸機からカードを取り出すための操作部となる返却ボタン１８６が配設されている。この両ボタンは、ボタン後方に配置されて球皿本体２９に内蔵された図示しない操作部基板と電気的及び機械的に接続されユニット化されている。操作方法については、左手で球皿本体２９の上部（球皿部２８の前縁）を掴むようにし、親指でボタン表面を押圧するだけであり、これによって、遊技者は遊技中でも簡単に操作できるようになっている。
【００４２】
球皿本体２９の上面２９Ｃ左側端部には、表示ユニット１９０が設けられている。表示ユニット１９０には、セグメント表示器１９２を搭載した表示部基板１９４が設けられており、表示部基板１９４の表面は透明樹脂カバー１９６によって覆われている。この表示ユニット１９０（セグメント表示器１９２）には、台間球貸機に挿入したカードによる貸し出し可能な球数が、数字情報で度数表示されるようになっており、その度数は、上述した球貸ボタン１８４の操作回数に応じて減少する構成である。
【００４３】
また、図３、図５及び図６に示すように、球皿本体２９の内部には、前述した球抜き口１６６及び球抜き口１７６と、球排出口１６８とを連通させる球抜き通路２００、２０２、２０４が設けられている。
【００４４】
球抜き口１６６と対応する球抜き通路２００は、球抜き口１６６から下方へ略垂直方向に延出され、途中で正面視左方向に屈曲されて左方向へ向けて下り傾斜している。この球抜き通路２００の通路断面は矩形状とされており、断面積は、複数の遊技球が断面に沿って広がり通路内を流下できるよう大きくされている。
【００４５】
球抜き口１７６と対応する球抜き通路２０２は、球抜き口１７６から下方へ略垂直方向に延出され、途中で正面視右方向に屈曲されて右方向へ向けて下り傾斜している。この球抜き通路２０２の通路断面も矩形状とされているが、断面積は、遊技球が一列になって通路内を流下できる大きさとされている。
【００４６】
球抜き通路２０２の下流端は、球排出口１６８の略上方で球抜き通路２００の下流端に連結されている。そして、球抜き通路２００の下流端からは、下方へ正面視略垂直方向に延出されて球排出口１６８に至る球抜き通路２０４が延設されており、この球抜き通路２０４が、球抜き通路全体の最下流部を構成している。
【００４７】
球抜き通路２０４の通路断面は矩形状とされている。また、図６に示すように、球抜き通路２０４の後壁２０６には、上流側から球排出口１６８に掛けて前方へ向けて下り傾斜した傾斜面２０８が設けられている。なお、ここでは、水平面Ｈに対する傾斜面２０８の角度（傾斜角）αが約３５度に設定されている。
【００４８】
以上により、上皿及び下皿を一体化してそれらの機能を有する一体皿３０が構成されている。
【００４９】
（パチンコ機の遊技仕様）
次に、パチンコ機１０の遊技仕様の概略について説明する。
【００５０】
パチンコ機１０による遊技では、遊技者が発射ハンドル３４を操作すると、一体皿３０の球皿部２８に貯えられている遊技球は球送り装置３８により一球づつ発射装置４０に供給され、発射装置４０によって上方へ発射される（図１の矢印Ａ方向）。発射された遊技球は、外レール１０２に沿って遊技盤１００の遊技領域１０１に打ち込まれ、遊技釘に当たり方向を変えながら遊技領域１０１内を落下する。そして、入賞せずに遊技領域１０１の下端部に至った遊技球はアウト口１２４からパチンコ機１０内に回収される。
【００５１】
また、遊技球が入賞口１１８に入賞すると、賞球払出装置が作動して所定数（例えば５個）の賞球を払い出し、その払い出された賞球は、貯球タンク４２内を通りタンク出口４４を介して賞球排出口４６から球皿部２８に排出される。
【００５２】
さらに、始動口１１０へ入賞すると、パチンコ機１０内の制御部（主制御基板）において当たり／外れの抽選処理が実行され、その抽選結果は、特別図柄表示装置１０６のディスプレイ画面１０８に、配列された複数の特別図柄が所定のパターンで変動されその変動パターンを経た停止図柄の組み合わせによって表示される。なお、この特別図柄の変動パターンには、例えば、リーチを経た当たり図柄の表示又は外れ図柄の表示、あるいはリーチなしの外れ図柄表示など、様々な演出や趣向を加味した数多くのパターンが用意されており、遊技者は、それらの演出を受け特別図柄の抽選結果を期待感も持って観察する。
【００５３】
そして、抽選結果が「大当たり」となった場合は、特別図柄表示装置１０６のディスプレイ画面１０８に、例えば、リーチ・アクションを経て「５５５」等の予め定められた所定の当たり図柄の組み合わせが表示されるとともに、表示灯８０の点滅やスピーカー８６、８８からの効果音出力などによる演出を加えて、大当たりが発生したことを遊技者に報知し、所定の大当たり動作を実行する。
【００５４】
大当たり動作としては、大入賞口１１４が、例えば１０カウント（入賞個数）又は最大３０秒間（１回の開放時間）／最高１６ラウンド（継続回数）開放されるとともに、１回の大入賞口１１４開放時に大入賞口１１４内のＶゾーンへの入賞を果たすことで次ラウンドを継続するといった動作が行われる。これにより、遊技者は、発射した遊技球を大入賞口１１４へ容易に入賞させ、例えば入賞１個当たり１５個の払い出しを受けるなどして、大量の賞球を獲得できるようになる。そして大量の賞球払い出しにより一体皿３０の球皿部２８が満杯になると、球皿部２８に貯え切れなくなった分の賞球は貯球タンク４２内に貯球される。
【００５５】
また、当たり図柄が、例えば「７７７」等の予め定められた特定の図柄の組み合わせとなった場合には、上述した大当たり動作の終了後に、次の大当たり確率がアップする「確率変動機能」、あるいは大当たり確率は変わらないが普通図柄表示装置の回転時間が短縮され始動口１１０が開放し易くなって球持ちをよくする「時短機能」といった付加機能が作動して、遊技者にとって有利な遊技状態が展開される。
【００５６】
次に、本実施の形態の作用について説明する。
【００５７】
本実施形態のパチンコ機１０に設けられた一体皿３０では、大当たり時などに遊技球（賞球）を球皿部２８から球箱３２０に移すため、遊技者が球抜きボタン１７２を押圧操作すると、球抜き板１７０がスライドして球抜き口１６６が開口する。すると、球抜き口１６６よりも上流側に貯留されている球皿部２８及び貯球タンク４２内の遊技球は、球抜き口１６６へ導入されて落下し、球抜き通路２００を流下して球抜き通路２０４に導かれる。またここでは、球皿部２８の中位面部１５８及び低位面部１６０は左方向に下り傾斜しており、それら下り傾斜面の途中に球抜き口１６６が設けられているため（図４参照）、上流側から流下する遊技球は球抜き口１６６へスムーズに導入され迅速に落下する。
【００５８】
球抜き通路２０４では、遊技球ＢＬは後壁２０６の傾斜面２０８上を転がって又は傾斜面２０８に沿って流下し、図６の矢印Ｃに示すように、球排出口１６８から前方側に向けて排出される。これにより、一体皿３０の下方にセットした球箱３２０に対し、遊技球ＢＬが球箱３２０の後部側に偏るようにして蓄積されることはなく、球箱３２０の中央部付近から放射状に広がるようにして球箱３２０内に貯留される。
【００５９】
また、遊技終了時などで、上述した球抜きボタン１７２の操作による球抜きをした後に、球皿部２８内の球抜き口１６６よりも下流側に残されている遊技球を球抜きするため、遊技者が球抜きレバー１８２をスライド操作すると、球整列通路１６４側の球抜き板１７８がスライドして球抜き口１７６が開口する。これにより、残りの遊技球は球整列通路１６４を通って球抜き口１７６へ順次落下し、球抜き通路２０２を流下して球抜き通路２０４に導かれる。そしてこの遊技球も同様に、球抜き通路２０４を流下する際に傾斜面２０８によって流下方向が前向きに変えられ、球排出口１６８から前方側に向けて排出される。
【００６０】
以上説明したように、本実施の形態に係るパチンコ機１０では、一体皿３０から球抜きされる遊技球ＢＬが球排出口１６８から前方側に向けて排出され、球箱３２０の中央部付近から放射状に広がるようにして球箱３２０内に貯留されるため、球箱３２０からのこぼれが防止される。さらに、遊技球ＢＬが球箱３２０の後部側に偏るようにして蓄積されることもないため、球均し作業を軽減することができる。
【００６１】
また、本実施の形態では、遊技球ＢＬを球排出口１６８から前方側に向けて排出させる排出方向変更手段を、球抜き通路の最下流部を構成する球抜き通路２０４に一体的に設けた傾斜面２０８により構成していることで、排出方向変更手段の構成を簡素化することができている。
【００６２】
［第２の実施形態］
次に、図７を用いて本発明の第２の実施形態について説明する。
【００６３】
図７に示される第２の実施形態に係る一体皿２１０は、球皿本体２９内に設けられた球抜き通路２００、２０２、２０４が上述した一体皿３０と同じ構成とされている。また、球抜き通路２０４の後壁２０６に設けられた傾斜面２０８上には、ゴム又はウレタン等の弾性材料により形成されたクッション材２１２が貼着されている。
【００６４】
以上により、一体皿２１０での球抜きでは、球抜き通路２０４に導かれた遊技球ＢＬが傾斜面２０８に設けられたクッション材２１２上を転がる際に、遊技球ＢＬの荷重によってクッション材２１２は弾性変形し、遊技球ＢＬの転がり摩擦抵抗が大きくされる。これにより、球排出口１６８から排出される遊技球ＢＬ（図７の矢印Ｄ）は、排出速度が減速されて着地点から跳ね上がる力が弱められ、よって、球箱３２０からの球こぼれ防止効果が高められる。また、ゴム製やウレタン製等のクッション材２１２を用いていることにより、遊技球の転がり摩擦抵抗を大きくする抵抗手段を安価に作製できるとともに、球排出口１６８から排出される遊技球ＢＬの排出速度を確実に減速することができる。
【００６５】
以上、本発明を上述した第１及び第２の実施形態により詳細に説明したが、本発明はそれらに限定されるものではなく、本発明の範囲内にて他の種々の実施形態が可能である。
【００６６】
例えば、球抜き通路２０４の傾斜面２０８は、所定角度に設定して固定的に設けているが、これは、角度が変更できるよう可動的に設けることも可能である。これにより、例えば、大きさの異なる複数種類の球箱に対し、最適な球こぼれ防止効果及び球均し作業の軽減効果が得られるよう傾斜面の角度を変更して遊技球の落下地点を調整できるようになる。
【００６７】
また、遊技球を球排出口から前方側に向けて排出させる排出方向変更手段としては、上記の球抜き通路２０４に設けた傾斜面２０８以外に、例えば、球排出口１６８の後縁部から前方へ向けて下り傾斜するよう延設された傾斜板等の他の排出方向変更手段に置き換えることができる。また、このような傾斜板等からなる排出方向変更手段を従来の一体皿３００に設けることも可能であり、それによって、球こぼれ防止効果及び球均し作業の軽減効果が得られる。
【００６８】
また、第２の実施形態で説明したクッション材２１２は、球抜き通路２０４の傾斜面２０８に設ける以外に、球抜き通路２００の通路底面や球抜き通路２０２の通路底面等に設けてもよい。そのように、クッション材２１２を球抜き通路の少なくとも遊技球が接触して転がる接触部に設けることで上述した効果が得られる。
【００６９】
また、遊技球の転がり摩擦抵抗を大きくする抵抗手段は、クッション材２１２に限らず、例えば、通路の内壁面に凹凸を形成し、その凹凸に接触することで遊技球の転がり摩擦抵抗が大きくなるなどの他の抵抗手段に置き換えることができる。また、それらのクッション材や凹凸等からなる抵抗手段を従来の一体皿３００の球抜き通路３１０、３１２、３１４に設けることも可能であり、それによって、球排出口３１６からの遊技球ＢＬの落下速度が減速され、球こぼれが防止される。
【００７０】
【発明の効果】
本発明のパチンコ機は上記構成としたので、打球供給皿から球抜きする遊技球の球箱からのこぼれが防止されるとともに、球箱に貯留される遊技球の球均し作業を軽減することができる。
【図面の簡単な説明】
【図１】本発明の第１の実施形態に係るパチンコ機を示した斜視図である。
【図２】本発明の第１の実施形態に係るパチンコ機を示した正面図である。
【図３】本発明の第１の実施形態に係る一体皿を示した正面図である。
【図４】本発明の第１の実施形態に係る一体皿を示した平面図である。
【図５】本発明の第１の実施形態に係る一体皿を示した背面図である。
【図６】本発明の第１の実施形態に係る一体皿と球箱との位置関係を示した図３の６−６線断面図である。
【図７】本発明の第２の実施形態に係る一体皿と球箱との位置関係を示した側断面図である。
【図８】従来の一体皿を示した正面図である。
【図９】従来の一体皿を示した背面図である。
【図１０】従来の一体皿と球箱との位置関係を示した図８の１０−１０線断面図である。
【符号の説明】
１０        パチンコ機
１４        内枠
２７        パネル部材
２８        球皿部
２９        球皿本体
２９Ａ      下面
３０        一体皿（打球供給皿）
４０        発射装置（打球発射装置）
１６４        球整列通路（球皿部）
１６６        球抜き口
１６８        球排出口
１７０        球抜き板（開閉手段）
１７２        球抜きボタン（開閉手段）
１７６        球抜き口
１７８        球抜き板（開閉手段）
１８０        球抜き機構（開閉手段）
１８２        球抜きレバー（開閉手段）
２００        球抜き通路
２０２        球抜き通路
２０４        球抜き通路（球抜き通路の最下流部）
２０６        後壁
２０８        傾斜面（排出方向変更手段／傾斜面）
２１０        一体皿（打球供給皿）
２１２        クッション材（抵抗手段／クッション材）
ＢＬ        遊技球
【図１】
2004329227.tif 000003
【図２】
2004329227.tif 000004
【図３】
2004329227.tif 000005
【図４】
2004329227.tif 000006
【図５】
2004329227.tif 000007
【図６】
2004329227.tif 000008
【図７】
2004329227.tif 000009
【図８】
2004329227.tif 000010
【図９】
2004329227.tif 000011
【図１０】
2004329227.tif 000012